(57)【要約】【課題】マットシールに対する端子挿入性の向上と防水性能の向上が可能となる防水コネクタを提供する。【解決手段】防水コネクタ１１は、電線の端末に取り付けられた端子がハウジング１３の端子収容室２１に装着され、端子挿通孔３５を有するマットシール１５が端子収容室２１の後方に装着される。マットシール１５が装着される端子収容室２１の後方のハウジング内周壁４３には、マットシール１５の外周リップ３９を圧縮するシール領域４５と、シール領域４５よりも後端開口側において外周リップ３９を圧縮しない端子挿入領域４７とが設けられる。端子収容室２１の後端３１と共にマットシール１５を挟持するマットシールカバー１７が、端子挿入領域４７に装着されたマットシール１５を覆う仮係止位置からマットシール１５を押圧しながらシール領域４５に装着する本係止位置まで移動可能とされる。【選択図】図２
2014116152.tif 000002
【特許請求の範囲】
【請求項１】
電線の端末に取り付けられた端子がハウジングの端子収容室に装着され、端子挿通孔を有するマットシールが前記端子収容室の後方に装着される防水コネクタであって、
前記マットシールが装着される前記端子収容室の後方のハウジング内周壁には、前記マットシールの外周リップを圧縮するシール領域と、前記シール領域よりも後端開口側において前記マットシールの外周リップを圧縮しない端子挿入領域とが設けられ、
前記端子収容室の後端と共に前記マットシールを挟持するマットシールカバーが、前記端子挿入領域に装着された前記マットシールを覆う仮係止位置から前記マットシールを押圧しながら前記シール領域に装着する本係止位置まで移動可能とされることを特徴とする防水コネクタ。
【請求項２】
前記ハウジングの後端側外周部には、前記マットシールカバーに突設されるロックアームに係合して前記マットシールカバーを仮係止位置または本係止位置に係止する仮係止ロック部及び本係止ロック部が設けられることを特徴とする請求項１に記載の防水コネクタ。
【発明の詳細な説明】
【技術分野】
【０００１】
本発明は、防水コネクタに関する。
【背景技術】
【０００２】
電線の端末に取り付けられた端子がハウジングの端子収容室に装着され、複数の端子挿通孔を有するマットシールが端子収容室後端に装着される防水コネクタが知られている（例えば、特許文献１参照）。
図７に示すように、この種の防水コネクタ５０１は、ハウジング５０３、マットシール５０５、マットシールカバー５０７及び端子５０９を主要構成部品としており、必要に応じてマットシールカバー５０７の後方に電線カバー５２７が装着される。ハウジング５０３には、端子５０９を収容する複数の端子収容室５１１が設けられ、マットシールカバー５０７にも端子５０９を挿通する複数の端子貫通穴５１３が設けられる。端子５０９は、マットシールカバー５０７、マットシール５０５、端子収容室５１１へと順次挿入され、端子収容室５１１に突出するランス５１５に係止されてハウジング５０３に保持される。
【０００３】
ハウジング５０３の後方には、マットシール５０５とマットシールカバー５０７を収容する収容空間５１７が設けられている。また、ハウジング５０３の後方外周には、図示しないロック凸部が凸設され、ロック凸部はマットシールカバー５０７に設けられる図示しないロック部に係止される。マットシール５０５の端子挿通孔５１９には、電線５２１とマットシール５０５とを水密シールする内周リップ５２３が形成されている。また、マットシール５０５の外周には、マットシール５０５と収容空間５１７とを水密シールする外周リップ５２５が設けられている。マットシール５０５は、マットシールカバー５０７のロック部がハウジング５０３のロック凸部に係止されることで、ハウジング５０３とマットシールカバー５０７に挟み込まれて保持される構造となっている。
【先行技術文献】
【特許文献】
【０００４】
【特許文献１】特開２０１１−８２１１３号公報
【発明の概要】
【発明が解決しようとする課題】
【０００５】
しかしながら、ハウジング５０３の後方に設けた収容空間５１７にマットシール５０５を収容した状態では、外周リップ５２５によってマットシール５０５が圧縮されて端子挿通孔５１９の穴径が小さくなる。このため、電線５２１の端末に取り付けられた端子５０９を挿入する際に挿入力が増加したり、内周リップ５２３を傷つけたりする虞があった。
【０００６】
本発明は上記状況に鑑みてなされたもので、その目的は、マットシールに対する端子挿入性の向上と防水性能の向上が可能となる防水コネクタを提供することにある。
【課題を解決するための手段】
【０００７】
本発明に係る上記目的は、下記構成により達成される。
（１）  電線の端末に取り付けられた端子がハウジングの端子収容室に装着され、端子挿通孔を有するマットシールが前記端子収容室の後方に装着される防水コネクタであって、前記マットシールが装着される前記端子収容室の後方のハウジング内周壁には、前記マットシールの外周リップを圧縮するシール領域と、前記シール領域よりも後端開口側において前記マットシールの外周リップを圧縮しない端子挿入領域とが設けられ、前記端子収容室の後端と共に前記マットシールを挟持するマットシールカバーが、前記端子挿入領域に装着された前記マットシールを覆う仮係止位置から前記マットシールを押圧しながら前記シール領域に装着する本係止位置まで移動可能とされることを特徴とする防水コネクタ。
【０００８】
上記（１）の構成の防水コネクタによれば、マットシールカバーと密接して装着されたマットシールは、マットシールカバーが仮係止位置に位置する際には、外周リップが圧縮されないハウジング内周壁の端子挿入領域に配置される。この端子挿入領域においてマットシールの端子挿通孔に端子が挿通されることで、縮径前で且つ拡径可能な状態において端子が端子挿通孔に挿通され、端子挿通孔の傷つきが抑止される。また、縮径前の端子挿通孔に端子が挿通されるので、端子挿通抵抗が小さく、挿通作業が容易となる。端子挿通孔の内径は、非縮径時において端子挿通性をより良好にするため、電線外径と同等かそれ以下に設定される。
そして、端子収容室に端子が装着された後、マットシールカバーが仮係止位置から本係止位置まで移動される。マットシールカバーが本係止位置へ移動されることにより、マットシールがハウジング内周壁のシール領域に移動される。この際、マットシールは、シール領域に進入することで、外周リップがシール領域のハウジング内周壁から圧縮され、これに伴って端子挿通孔が縮径されて電線に水密に密着し、防水性能が高められる。
【０００９】
（２）  上記（１）の構成の防水コネクタであって、前記ハウジングの後端側外周部には、前記マットシールカバーに突設されるロックアームに係合して前記マットシールカバーを仮係止位置または本係止位置に係止する仮係止ロック部及び本係止ロック部が設けられることを特徴とする防水コネクタ。
【００１０】
上記（２）の構成の防水コネクタによれば、マットシールカバーを仮係止位置または本係止位置に容易に且つ確実に係止することができる。
【発明の効果】
【００１１】
本発明に係る防水コネクタによれば、マットシールに対する端子挿入性の向上と防水性能の向上が可能となる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係る防水コネクタの分解斜視図である。
【図２】図１に示したマットシールカバーが仮係止位置の防水コネクタの縦断面図及び要部拡大図である。
【図３】図２に示した防水コネクタの端子挿入後の縦断面図である。
【図４】図１に示した防水コネクタの端子収容室への端子の挿入状況を表す縦断面図である。
【図５】図３に示したマットシールカバーが本係止位置の防水コネクタの縦断面図である。
【図６】図５に示したマットシールカバーが本係止位置におけるマットシールの状態を表す縦断面図である。
【図７】マットシールを備える従来の防水コネクタの縦断面図である。
【発明を実施するための形態】
【００１４】
以下、本発明に係る実施形態を図面を参照して説明する。
図１乃至図３に示すように、本発明の一実施形態に係る防水コネクタ１１は、ハウジング１３、マットシール１５、マットシールカバー１７及び端子１９を有する。ハウジング１３には端子１９を収容する複数の端子収容室２１が設けられ、端子収容室２１には端子１９を係止するためのランス２３が突出される。端子１９には電線圧着部２５が設けられ、電線圧着部２５によって電線２７の端末に端子１９が接続固定される。本実施形態における端子１９は、箱状の電気接触部２９を有する雌端子であるが、防水コネクタ１１は、雄端子を収容する構成であってもよい。
【００１５】
ハウジング１３の端子収容室２１の後方には、マットシール１５とマットシールカバー１７とを収容するための収容空間３３が形成される。マットシール１５は、例えばシリコンゴム等の弾性材料からなり、矩形平板状に形成された表裏を貫通して複数の端子挿通孔３５が縦横に設けられている。この端子挿通孔３５の内面には、大径部と小径部とが交互に連なる内周リップ３７が環状に形成されている。また、マットシール１５の外周には、外周リップ３９が環状に形成されている。
【００１６】
マットシール１５の後方に密接して配置されるマットシールカバー１７には、端子１９を挿通する端子貫通穴４１が設けられる。端子１９は、マットシールカバー１７、マットシール１５、端子収容室２１へと順次挿入され、端子収容室２１に突出するランス２３に係止されてハウジング１３に保持される。
【００１７】
図２に示すように、マットシール１５が装着される端子収容室２１の後方のハウジング内周壁４３（即ち、収容空間３３の内周壁）には、マットシール１５の外周リップ３９を圧縮するシール領域４５と、シール領域４５よりも後端開口側においてマットシール１５の外周リップ３９を圧縮しない端子挿入領域４７とが設けられている。マットシール１５は、後方に密接するマットシールカバー１７によって、収容空間３３の端子挿入領域４７からシール領域４５へと移動される。
【００１８】
端子挿入領域４７は、開口形状がマットシール１５の外形状と略同等に形成されることで、外周リップ３９を圧縮しない状態とする。これに対し、シール領域４５は、開口形状がマットシール１５の外形状よりも小さく形成されている。これにより、シール領域４５に挿入されたマットシール１５は、外周リップ３９がハウジング内周壁４３によって押圧されて圧縮される。外周リップ３９が圧縮されたマットシール１５は、ハウジング内周壁４３との間を水密にシールすると共に、それぞれの端子挿通孔３５が縮径する。端子挿入領域４７とシール領域４５との間は、徐々に開口面積を小さくするテーパー部４９が形成されている。これにより、端子挿入領域４７からシール領域４５へのマットシール１５の移動が円滑に行われる。
【００１９】
端子収容室２１の後端３１と共にマットシール１５を挟持するマットシールカバー１７は、端子挿入領域４７に装着されたマットシール１５を覆う仮係止位置（図３参照）からマットシール１５を押圧しながらシール領域４５に装着する本係止位置（図５参照）まで移動可能とされる。
【００２０】
ハウジング１３の後端側外周部５５には、マットシールカバー１７に突設されるロックアーム５７に係合してマットシールカバー１７を仮係止位置または本係止位置に係止する仮係止ロック部５９及び本係止ロック部６１が設けられている。マットシール１５は、マットシールカバー１７のロックアーム５７がハウジング１３の本係止ロック部６１に係止されることで、図５に示すように、ハウジング１３とマットシールカバー１７に挟み込まれるように配置される。
【００２１】
次に、上記構成を有する防水コネクタ１１の作用を説明する。
本実施形態の防水コネクタ１１では、マットシールカバー１７と密接して装着されたマットシール１５は、マットシールカバー１７が仮係止位置に位置する際には、外周リップ３９が圧縮されないハウジング内周壁４３の端子挿入領域４７（図２参照）に配置される。この端子挿入領域４７においてマットシール１５の端子挿通孔３５に端子１９が挿通されることで、縮径前で且つ拡径可能な状態において端子１９が端子挿通孔３５挿通され、端子挿通孔３５の傷つきが抑止される。
【００２２】
また、縮径前の端子挿通孔３５に端子１９が挿通されるので、端子挿通抵抗が小さく、挿通作業が容易となる。端子挿通孔３５の内径は、非縮径時において端子挿通性をより良好にするため、電線２７の電線外径と同等かそれ以下に設定される。
【００２３】
図４に示すように、端子挿入領域４７のマットシール１５に挿入される端子１９は、マットシールカバー１７の端子貫通穴４１に接する第１規制ポイント６３と、マットシール１５の端子挿通孔３５に接する第２規制ポイント６５とによって、挿入方向が端子収容室２１に向かって規制される。また、本実施形態では、端子挿通孔３５に５つの内周リップ３７が設けられている（図２参照）。この内周リップ３７は、締め付け力によって挿入時の端子１９の水平状態を補助している。更に、端子収容室２１の後端３１には、端子収容室２１に向かって徐々に狭くなる拾い代６７を有するテーパー面２２が設けられ、テーパー面２２は傾いて挿入される端子１９を端子収容室２１へと誘導可能としている（図４参照）。なお、端子挿入領域４７におけるマットシール１５の先端と端子収容室２１の後端３１との隙間Ａに対して、端子１９の電気接触部２９の全長Ｂが長くなるように設定されている。これにより、端子１９は大きく傾斜せず、端子収容室２１への挿入性が良好に確保される。
【００２４】
そして、本実施形態の防水コネクタ１１では、図３に示すように、全ての端子収容室２１に端子１９が装着された後、マットシールカバー１７が仮係止位置から本係止位置まで移動される。図５に示すように、マットシールカバー１７が本係止位置へ移動されることにより、マットシール１５がハウジング内周壁４３のシール領域４５（図２参照）に移動される。この際、マットシール１５は、シール領域４５に進入することで、図６に示すように、外周リップ３９がシール領域４５のハウジング内周壁４３から矢印Ｘで示す方向に圧縮されるとともに、ハウジング１３とマットシールカバー１７とによって矢印Ｙで示す方向に圧縮される。これに伴って全ての端子挿通孔３５が縮径されて、電線２７に内周リップ３７が水密に密着し、防水性能が高められる。
【００２５】
また、本実施形態の防水コネクタ１１では、ハウジング１３の後端側外周部５５に、マットシールカバー１７に突設されるロックアーム５７に係合してマットシールカバー１７を仮係止位置または本係止位置に係止する仮係止ロック部５９及び本係止ロック部６１が設けられている。そこで、マットシールカバー１７を仮係止位置または本係止位置に容易に且つ確実に係止することができる。
【００２６】
なお、上述した防水コネクタ１１では、端子１９が端子収容室２１のランス２３に係止された後、マットシールカバー１７が仮係止位置から本係止位置まで移動される組立手順を例に説明したが、本発明はこれに限定されるものではない。
例えば、保持した端子１９と共にマットシール１５を端子挿入領域４７からシール領域４５に移動させた際、端子収容室２１のランス２３に端子１９が係止される位置となるように、端子挿通孔３５に挿通した端子１９のマットシール１５の先端面からの端子突出長を予め設定する。
【００２７】
そして、予め設定された端子突出長となるように全ての端子挿通孔３５に端子１９が挿通されて保持された後、マットシールカバー１７が仮係止位置から本係止位置まで移動される。マットシールカバー１７が本係止位置へ移動されることにより、マットシール１５がシール領域４５に移動され、移動の完了と同時に、端子１９が端子収容室２１のランス２３に係止される。この際、マットシール１５は、シール領域４５に進入することで、外周リップ３９がシール領域４５のハウジング内周壁４３から圧縮され、これに伴って全ての端子挿通孔３５が縮径されて電線２７に水密に密着し、防水性能が高められる。
【００２８】
即ち、端子挿入領域４７に位置するマットシール１５において、端子１９が予め端子収容室２１のランス２３に係止される位置まで挿通されていると、後のマットシール１５のシール領域４５への移動の際、マットシール１５のそれぞれの端子挿通孔３５は縮径しながら電線２７と相対摺動しなければならず、マットシール１５を移動させるための大きな押圧力が必要となる。これに対し、本構成によれば、全ての端子１９がマットシール１５と共に移動するので、端子挿通孔３５と電線２７とは殆ど相対摺動せず、相対摺動による大きな摩擦力が発生しない。これにより、マットシール１５の押圧力を軽減して、作業性を更に高めることができる。
【００２９】
従って、本実施形態に係る防水コネクタ１１によれば、マットシール１５に対する端子挿入性の向上と防水性能の向上が可能となる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３０】
１１…防水コネクタ
１３…ハウジング
１５…マットシール
１７…マットシールカバー
１９…端子
２１…端子収容室
２７…電線
３１…後端
３５…端子挿通孔
３９…外周リップ
４３…ハウジング内周壁
４５…シール領域
４７…端子挿入領域
５５…後端側外周部
５７…ロックアーム
５９…仮係止ロック部
６１…本係止ロック部
【図１】
2014116152.tif 000003
【図２】
2014116152.tif 000004
【図３】
2014116152.tif 000005
【図４】
2014116152.tif 000006
【図５】
2014116152.tif 000007
【図６】
2014116152.tif 000008
【図７】
2014116152.tif 000009